(57)【要約】  複数のメッシュポイント（ＭＰ）からなるメッシュ無線通信ネットワーク内で動作するＭＰの送信および受信電力レベルを制御するための方法および装置が開示される。新しいＭＰの電力能力情報が、メッシュネットワーク内の少なくとも１つの既存のＭＰに送信される。既存のＭＰは、新しいＭＰをメッシュネットワークのメンバとして受け入れ、許容電力設定情報を新しいＭＰに送信する。新しいＭＰは、許容電力設定情報に従って、その電力レベルを調整する。
2008538465.tif 000002
【特許請求の範囲】
【請求項１】
メッシュ無線通信ネットワーク内において動作するメッシュポイント（ＭＰ）の送信および受信電力レベルを制御する方法であって、前記メッシュネットワークは、複数のＭＰを含み、前記方法は、
新しいＭＰの電力能力情報を、前記メッシュネットワーク内の少なくとも１つの既存のＭＰへ送信するステップと、
前記既存のＭＰが、前記新しいＭＰを前記メッシュネットワークのメンバとして受け入れ、許容電力設定情報を前記新しいＭＰへ送信するステップと、
前記許容電力設定情報に従って、前記新しいＭＰがその電力レベルを調整するステップと、
を備えることを特徴とする方法。
【請求項２】
前記新しいＭＰが、応答型または非応答型方式いずれかであって、ブロードキャスト、マルチキャストおよびユニキャストの少なくとも１つによって、その電力能力情報を報告することを特徴とする請求項１に記載の方法。
【請求項３】
前記新しいＭＰが、メッシュＡＳＳＯＣＩＡＴＩＯＮまたはメッシュＡＵＴＨＥＮＴＩＣＡＴＩＯＮフレームを用いて、その電力能力情報を報告することを特徴とする請求項１に記載の方法。
【請求項４】
前記新しいＭＰが、メッシュＢＥＡＣＯＮフレームまたはメッシュＰＲＯＢＥ  ＲＥＳＰＯＮＳＥフレームの一部として、その電力能力情報を報告することを特徴とする請求項１に記載の方法。
【請求項５】
前記電力能力情報は、指示された専用リンク毎またはマルチホップメッシュＰＯＷＥＲ  ＣＡＰＡＢＩＬＩＴＹフレームの一部であることを特徴とする請求項１に記載の方法。
【請求項６】
前記電力能力情報は、前記新しいＭＰがサポートする最小送信電力および最大送信電力ならびに調整ステップサイズ設定と、最小受信電力および最大受信電力ならびに調整ステップサイズ設定と、前記新しいＭＰがサポートする感度レベルおよびＣＣＡ閾値設定と、前記新しいＭＰがサポートするモードと、前記ＭＰがサポートする動作帯域幅と、前記新しいＭＰが同時に動作可能な帯域およびサブ帯域の数とのうちの少なくとも１つを含むことを特徴とする請求項１に記載の方法。
【請求項７】
前記新しいＭＰは、前記許容電力設定情報をその他のＭＰから、応答型または非応答型方式いずれかであって、ブロードキャスト、マルチキャストおよびユニキャストの少なくとも１つによって取得することを特徴とする請求項１に記載の方法。
【請求項８】
前記許容電力設定情報は、メッシュＢＥＡＣＯＮフレームまたはメッシュＰＲＯＢＥ  ＲＥＳＰＯＮＳＥフレームに含まれることを特徴とする請求項１に記載の方法。
【請求項９】
前記許容電力設定情報は、メッシュＡＳＳＯＣＩＡＴＩＯＮまたはメッシュＡＵＴＨＥＮＴＩＣＡＴＩＯＮフレームに含まれることを特徴とする請求項１に記載の方法。
【請求項１０】
前記許容電力設定情報は、専用のリンク毎またはマルチホップメッシュＡＬＬＯＷＥＤ  ＰＯＷＥＲ  ＳＥＴＴＩＮＧフレームに含まれることを特徴とする請求項１に記載の方法。
【請求項１１】
前記許容電力設定情報は、電力マスタ（ＰＭ）アドレスまたはＰＭ識別子と、前記メッシュネットワークが現在動作している規制ドメインと、前記メッシュネットワークが現在動作している周波数帯域およびサブ帯域と、最小送信電力許容設定、瞬時送信電力許容設定および最大送信電力許容設定と、最小受信電力許容設定、瞬時受信電力許容設定および最大受信電力許容設定と、最小ＣＣＡ閾値許容設定、瞬時ＣＣＡ閾値許容設定および最大ＣＣＡ閾値許容設定と、有効性タイマまたはタイムアウト値と、測定間隔および構成と、サイレンス期間と、上記の任意のもののための一時オフセット値および関連ライフタイム値と、のうちの少なくとも１つを含むことを特徴とする請求項１に記載の方法。
【請求項１２】
前記許容電力設定情報は、前記メッシュネットワーク全体、特定のメッシュリンクもしくは経路ならびに特定のメッシュノードもしくはメッシュノードの特定の無線インタフェースのうちの少なくとも１つについてシグナリングされることを特徴とする請求項１に記載の方法。
【請求項１３】
前記許容電力設定情報は、絶対値、相対値ならびに絶対値および相対値の組合せの少なくとも１つによってシグナリングされることを特徴とする請求項１に記載の方法。
【請求項１４】
前記新しいＭＰおよび前記既存のＭＰは、ピアツーピア関係を確立することを特徴とする請求項１に記載の方法。
【請求項１５】
前記新しいＭＰおよび前記既存のＭＰは、マスタ−スレーブ関係を確立することを特徴とする請求項１に記載の方法。
【請求項１６】
前記新しいＭＰおよび前記既存のＭＰは、その他のＭＰ群から、更新された許容電力設定情報を定期的に受信することを特徴とする請求項１に記載の方法。
【請求項１７】
各ＭＰは、電力設定、感知された信号対雑音比（ＳＮＲ）、リンクマージン値、感知された干渉電力ならびにチャネルビジー時間のうちの少なくとも１つに関する測定値の報告を近隣ＭＰ群に要求することを特徴とする請求項１６に記載の方法。
【請求項１８】
少なくとも１つのＭＰが、前記ＭＰの中の電力マスタ（ＰＭ）として選出されることを特徴とする請求項１に記載の方法。
【請求項１９】
前記メッシュネットワーク内の第１のＭＰが、自動的に前記ＰＭになることを特徴とする請求項１８に記載の方法。
【請求項２０】
新しいＭＰが参加するたびに、前記既存のＭＰ群と前記新しいＭＰとの間のネゴシエーションによって、新しいＰＭが選出されることを特徴とする請求項１８に記載の方法。
【請求項２１】
前記ＰＭは、初期セットアップ手順の一部として受信される、レイヤ２もしくはレイヤ３のブロードキャスト、マルチキャストまたは専用信号を用いて識別されることを特徴とする請求項２０に記載の方法。
【請求項２２】
所定のＭＰがＰＭとなり、所定の期間、固定されることを特徴とする請求項１８に記載の方法。
【請求項２３】
前記メッシュネットワークのメッシュポータルが、自動的に前記ＰＭになることを特徴とする請求項１８に記載の方法。
【請求項２４】
近隣ＭＰ群へのリンクを最も多く有するＭＰが、前記ＰＭになることを特徴とする請求項１８に記載の方法。
【請求項２５】
前記メッシュネットワーク内の前記ＭＰ群は、乱数抽出を用いて前記ＰＭを決定することを特徴とする請求項１８に記載の方法。
【請求項２６】
前記メッシュネットワーク内の前記ＭＰ群は、メッシュポータルまたはある所定のＭＰからのホップ数の関数として、前記ＰＭを決定することを特徴とする請求項１８に記載の方法。
【請求項２７】
前記メッシュネットワーク内の第１のＭＰは、前記許容電力設定を設定し、前記許容電力設定情報をその後に参加したＭＰ群へ送信することを特徴とする請求項１に記載の方法。
【請求項２８】
ＭＰ群間で交換されるメッセージおよび情報のシグナリングは、レイヤ２の信号フレームまたは情報要素（ＩＥ）と、レイヤ３以上の信号パケットまたはＩＥとのうちの少なくとも一方を用いて実施されることを特徴とする請求項１に記載の方法。
【請求項２９】
前記既存のＭＰは、すぐ隣のＭＰ群と、前記新しいＭＰがその他のＭＰ群によって到達可能なその他のメッシュノードと、前記無線メッシュの直接到達圏外のその他のネットワークエンティティとを含むことを特徴とする請求項１に記載の方法。
【請求項３０】
ＭＰ群間でのメッセージの送信および受信は、直接リンク、マルチホップフレーム信号、ならびに有線バックホール経由のうちの少なくとも１つによって実施されることを特徴とする請求項１に記載の方法。
【請求項３１】
ＭＰ群間でのメッセージの交換は、媒体アクセス制御（ＭＡＣ）もしくはステーション管理エンティティ（ＳＭＥ）内のレイヤ２のハードウェア／ソフトウェア、レイヤ３以上のソフトウェアまたはそれらの組合せによって実施されることを特徴とする請求項１に記載の方法。
【請求項３２】
前記ＭＰ群は、前記メッシュネットワークを制御するエンティティによって設定される構成設定に依存し、前記ＭＰ群は、統計およびフィードバックを前記制御エンティティに報告することを特徴とする請求項１に記載の方法。
【請求項３３】
前記構成設定および報告可能統計は、物理レイヤ（ＰＨＹ）、ＭＡＣ、またはＳＭＥ内のデータベースと、レイヤ２  ＭＡＣまたはＳＭＥと上位プロトコルエンティティの間のシグナリングメッセージと、ＭＰ内のＳＭＥ、ＭＡＣ、ＰＨＹおよびその他のプロトコルエンティティの間で交換されるプリミティブとのうちの少なくとも１つの内に設定されおよび前記１つによって報告されることを特徴とする請求項３２に記載の方法。
【請求項３４】
前記構成設定は、許容送信、受信およびＣＣＡ値設定ならびに範囲、許容モード設定、許容帯域およびサブ帯域設定、メッシュ送信電力制御（ＴＰＣ）機能オンもしくはオフ、ＰＭのアドレスおよび識別子、ＴＰＣ用のタイマ値ならびに前記ＭＰ用の送信電力変更コマンドのうちの少なくとも１つを含むことを特徴とする請求項３２に記載の方法。
【請求項３５】
前記報告可能統計は、前記ＭＰおよび近傍ＭＰ郡の現在のＴＰＣ設定、モード、帯域幅、同時チャネル数ならびにチャネル統計のうちの少なくとも一方を含むことを特徴とする請求項３２に記載の方法。
【請求項３６】
無線通信におけるメッシュポイントのネットワーク内のメッシュポイント（ＭＰ）であって、
前記メッシュネットワーク内の少なくとも１つの既存のＭＰへそれ自体の電力能力情報を送信し、その電力レベルを、前記ネットワーク内の別のＭＰから受信された許容電力設定情報に従って調整するように構成されたプロセッサ
を備えたことを特徴とするメッシュポイント（ＭＰ）。
【請求項３７】
各ＭＰが、その電力能力情報を、応答型または非応答型方式いずれかであって、ブロードキャスト、マルチキャストおよびユニキャストの１つによって報告することを特徴とする請求項３６に記載のメッシュポイント。
【請求項３８】
各ＭＰが、メッシュＡＳＳＯＣＩＡＴＩＯＮまたはメッシュＡＵＴＨＥＮＴＩＣＡＴＩＯＮフレームを用いて、その電力能力情報を報告することを特徴とする請求項３６に記載のメッシュポイント。
【請求項３９】
各ＭＰが、メッシュＢＥＡＣＯＮフレームまたはメッシュＰＲＯＢＥ  ＲＥＳＰＯＮＳＥフレームの一部として、その電力能力情報を報告することを特徴とする請求項３６に記載のメッシュポイント。
【請求項４０】
前記電力能力情報は、指示された専用リンク毎またはマルチホップメッシュＰＯＷＥＲ  ＣＡＰＡＢＩＬＩＴＹフレームの一部であることを特徴とする請求項３６に記載のメッシュポイント。
【請求項４１】
前記電力能力情報は、前記ＭＰがサポートする最小送信電力および最大送信電力ならびに調整ステップサイズ設定と、最小受信電力および最大受信電力ならびに調整ステップサイズ設定と、前記ＭＰがサポートする感度レベルおよびＣＣＡ閾値設定と、前記ＭＰがサポートするモードと、前記ＭＰがサポートする動作帯域幅と、前記ＭＰが同時に動作可能な帯域およびサブ帯域の数とのうちの少なくとも１つを含むことを特徴とする請求項３６に記載のメッシュポイント。
【請求項４２】
各ＭＰは、前記許容電力設定情報を前記ＭＰから、応答型または非応答型方式いずれかであって、ブロードキャスト、マルチキャストおよびユニキャストの少なくとも１つによって取得することを特徴とする請求項３６に記載のメッシュポイント。
【請求項４３】
前記許容電力設定情報は、メッシュＢＥＡＣＯＮフレームまたはメッシュＰＲＯＢＥ  ＲＥＳＰＯＮＳＥフレームに含まれることを特徴とする請求項３６に記載のメッシュポイント。
【請求項４４】
前記許容電力設定情報は、メッシュＡＳＳＯＣＩＡＴＩＯＮまたはメッシュＡＵＴＨＥＮＴＩＣＡＴＩＯＮフレームに含まれることを特徴とする請求項３６に記載のメッシュポイント。
【請求項４５】
前記許容電力設定情報は、専用のリンク毎またはマルチホップメッシュＡＬＬＯＷＥＤ  ＰＯＷＥＲ  ＳＥＴＴＩＮＧフレームに含まれることを特徴とする請求項３６に記載のメッシュポイント。
【請求項４６】
前記許容電力設定情報は、電力マスタ（ＰＭ）アドレスまたはＰＭ識別子と、前記メッシュポイントが現在動作している規制ドメインと、前記メッシュポイントが現在動作している周波数帯域およびサブ帯域と、最小送信電力許容設定、瞬時送信電力許容設定および最大送信電力許容設定と、最小受信電力許容設定、瞬時受信電力許容設定および最大受信電力許容設定と、最小ＣＣＡ閾値許容設定、瞬時ＣＣＡ閾値許容設定および最大ＣＣＡ閾値許容設定と、有効性タイマまたはタイムアウト値と、測定間隔および構成と、サイレンス期間と、上記の任意のもののための一時オフセット値および関連ライフタイム値と、のうちの少なくとも１つを含むことを特徴とする請求項３６に記載のメッシュポイント。
【請求項４７】
前記許容電力設定情報は、前記メッシュネットワーク全体、特定のメッシュリンクもしくは経路、特定のメッシュノードならびにメッシュノードの特定の無線インタフェースのうちの少なくとも１つについてシグナリングされることを特徴とする請求項３６に記載のメッシュポイント。
【請求項４８】
前記許容電力設定情報は、絶対値、相対値またはそれらの組合せとしてシグナリングされることを特徴とする請求項３６に記載のメッシュポイント。
【請求項４９】
前記プロセッサは、前記ＭＰおよび別のネットワークＭＰの間にピアツーピア関係を確立することを特徴とする請求項３６に記載のメッシュポイント。
【請求項５０】
前記プロセッサは、前記ＭＰおよび別のネットワークＭＰの間にマスタ−スレーブ関係を確立することを特徴とする請求項３６に記載のメッシュポイント。
【請求項５１】
前記ＭＰは、その他のＭＰ群から、更新された許容電力設定情報を定期的に受信することを特徴とする請求項３６に記載のメッシュポイント。
【請求項５２】
各ＭＰは、電力設定、感知された信号対雑音比（ＳＮＲ）、リンクマージン値、感知された干渉電力ならびにチャネルビジー時間のうちの少なくとも１つに関する測定値の報告を近隣ＭＰ群に要求することを特徴とする請求項５１に記載のメッシュポイント。
【請求項５３】
前記許容電力設定情報は、その後に参加するＭＰ群へ送信されることを特徴とする請求項３６に記載のメッシュポイント。
【請求項５４】
ＭＰ群間で交換されるメッセージおよび情報のシグナリングは、レイヤ２の信号フレームもしくは情報要素（ＩＥ）、またはレイヤ３以上の信号パケットもしくはＩＥのうちの少なくとも一方を用いて実施されることを特徴とする請求項３６に記載のメッシュポイント。
【請求項５５】
ＭＰ群間でのメッセージの送信および受信は、直接リンク、マルチホップフレーム信号ならびに有線バックホール経由のうちの少なくとも１つによって実施されることを特徴とする請求項３６に記載のメッシュポイント。
【請求項５６】
ＭＰ群間でのメッセージの交換は、媒体アクセス制御（ＭＡＣ）もしくはステーション管理エンティティ（ＳＭＥ）内のレイヤ２のハードウェア／ソフトウェア、レイヤ３以上のソフトウェア、またはそれらの組合せによって実施されることを特徴とする請求項３６に記載のメッシュポイント。
【請求項５７】
前記ＭＰ群は、前記メッシュネットワークを制御するエンティティによって設定される構成設定に依存し、前記ＭＰ群は、統計およびフィードバックを前記制御エンティティに報告することを特徴とする請求項３６に記載のメッシュポイント。
【請求項５８】
前記構成設定および報告可能統計は、物理レイヤ（ＰＨＹ）、ＭＡＣ、またはＳＭＥ内のデータベースと、レイヤ２  ＭＡＣまたはＳＭＥと上位プロトコルエンティティの間のシグナリングメッセージと、ＭＰ内のＳＭＥ、ＭＡＣ、ＰＨＹ、およびその他のプロトコルエンティティの間で交換されるプリミティブと、のうちの少なくとも１つの内に設定されならびに前記１つよって報告されることを特徴とする請求項５７に記載のメッシュポイント。
【請求項５９】
前記構成設定は、許容送信、受信およびＣＣＡ値設定ならびに範囲、許容モード設定、許容帯域およびサブ帯域設定、メッシュ送信電力制御（ＴＰＣ）機能オンもしくはオフ、前記ＰＭのアドレスおよび識別子、ＴＰＣ用のタイマ値ならびに前記ＭＰ用の送信電力変更コマンドのうちの少なくとも１つを含むことを特徴とする請求項５７に記載のメッシュポイント。
【請求項６０】
前記報告可能統計は、前記ＭＰおよび近傍ＭＰの現在のＴＰＣ設定、モード、帯域幅、同時チャネル数ならびにチャネル統計のうちの少なくとも一方を含むことを特徴とする請求項５７に記載のメッシュポイント。
【請求項６１】
メッシュポイントからなるメッシュネットワークにおいて、
前記メッシュネットワーク用の電力マスタ（ＰＭ）選択が必要とされていることを表示する電力マスタ要求情報要素を近隣ＭＰ群へ送信し、前記ネットワークＭＰ群から電力マスタ応答情報要素を受信し、前記電力マスタ応答情報要素の中で受信された選択基準を評価する比較手順に従ってＰＭを選択するように構成されたプロセッサ
を備えたことを特徴とするメッシュポイント（ＭＰ）。
【請求項６２】
前記メッシュネットワークに属する第１のＭＰが、前記ＰＭとして選択されることを特徴とする請求項６１に記載のメッシュポイント。
【請求項６３】
新しいＭＰが参加するたびに、前記既存のＭＰ群と前記新しいＭＰとの間のネゴシエーションによって、新しいＰＭが選択されることを特徴とする請求項６１に記載のメッシュポイント。
【請求項６４】
前記ＰＭは、初期セットアップ手順の一部として受信される、レイヤ２またはレイヤ３のブロードキャスト、マルチキャストまたは専用信号を用いて識別されることを特徴とする請求項６１に記載のメッシュポイント。
【請求項６５】
所定のＭＰが前記ＰＭとして選択され、所定の期間、固定されることを特徴とする請求項６１に記載のメッシュポイント。
【請求項６６】
前記プロセッサは、そのＭＰを前記メッシュネットワークのメッシュポータルとして選択し、前記メッシュネットワーク用のすべての送信電力制御設定をしかるべく設定し、その後に参加するすべてのＭＰに、これらの設定をその他のメッシュネットワークＭＰ群に伝播させるよう命じることを特徴とする請求項６１に記載のメッシュポイント。
【請求項６７】
前記プロセッサは、近隣ＭＰ群へのリンクを最も多く有するＭＰを、前記ＰＭとして選択することを特徴とする請求項６１に記載のメッシュポイント。
【請求項６８】
前記プロセッサは、乱数抽出を用いて、前記ＰＭを決定することを特徴とする請求項６１に記載のメッシュポイント。
【請求項６９】
前記プロセッサは、メッシュポータルまたはある所定のＭＰからのホップ数の関数として、前記ＰＭを決定することを特徴とする請求項６１に記載のメッシュポイント。
【発明の詳細な説明】
【技術分野】
【０００１】
本発明は、無線ローカルエリアネットワークに関する。詳細には、本発明は、送信（Ｔｘ）電力制御および受信（Ｒｘ）電力制御を可能にするために、メッシュポイント（ＭＰ：Ｍｅｓｈ  ｐｏｉｎｔ）において実施されるシグナリングメカニズムに関する。
【背景技術】
【０００２】
図１は、基地局（ＢＳ）とも呼ばれるアクセスポイント（ＡＰ）の組を含む、典型的な無線システムインフラストラクチャを示しており、各アクセスポイントは、バックホールリンクと呼ばれるものを介して有線ネットワークに接続される。無線リンクは、ＡＰとユーザ局（ＳＴＡ）との間に存在する。いくつかのシナリオでは、与えられたＡＰを有線ネットワークに直接接続するコストの理由から、代替選択肢がより魅力的となる。代替選択肢は、近隣ＡＰ群への無線接続を介して、ＡＰを有線ネットワークに間接的に接続するものである。これは、メッシュアーキテクチャと呼ばれる。図２は、複数のメッシュポイント（ＭＰ）を含む簡単なメッシュアーキテクチャのブロック図を示している。各メッシュポイントは、メッシュのために制御、管理および運用サービスをサポートすることができる。ＭＰ群は、専用インフラストラクチャ装置（例えば、メッシュＡＰ（ＭＡＰ））、またはメッシュネットワークの形成および動作に十分に参加し得るユーザ装置（例えば、ＳＴＡ）であり得る。メッシュインフラストラクチャを使用する利点は、使用の容易性および配備の迅速性を含んでいる。すなわち、各ＡＰにバックホールリンクおよび相互接続モジュールを備えることを必要とせずに、無線ネットワークを配備することができるからである。
【０００３】
１つの非常に重要な動作上の考慮事項は、メッシュノードのＴｘ電力設定は、規制要件を満たすように規制されるということである。今日の無線電波通信の動作は、ＦＣＣ（およびその他の国々の同等組織）によって規制されている。特に、ＷＬＡＮなどの認可を受けない無線機器の干渉を最小化するために、大部分の周波数帯域について、一定の最大Ｔｘ電力設定が命じられる。さらに、通常これらの規制要件は、規制領域（例えば、米国、欧州、日本）毎に変わる。インフラストラクチャモード（基本サービスセット（ＢＳＳ））またはアドホックモード（独立ＢＳＳ（ＩＢＳＳ））で動作する従来のＷＬＡＮ用の典型的な規制要件は、以下のように要約される（すなわち、メッシュ動作は、この既存の規格によって取り扱われない）。
【０００４】
５ＧＨｚ帯域ＷＬＡＮ用のＩＥＥＥ８０２．１１ｈの下の送信電力制御（ＴＰＣ）は、欧州における５ＧＨｚ帯域割り当ての異なる規制Ｔｘ電力許容値によって主として動機付けられるが、米国においてはＦＣＣによっても規制が要求される。５ＧＨｚ帯域の異なる規制電力要件は、以下のものを含む。  
・低帯域Ｕ−ＮＩＩ（５．２５〜５．３５ＧＨｚ、４チャネル）、４０ｍＷ、米国、２００ｍＷ、欧州
・中帯域Ｕ−ＮＩＩ（５．３５〜５．４５ＧＨｚ、４チャネル）、２００ｍＷ、米国および欧州
・（５．４７〜５．７２５ＧＨｚ、１１チャネル）、欧州のみ、１０００ｍＷ
・高帯域Ｕ−ＮＩＩ（５．７２５〜５．８２５ＧＨｚ、５チャネル）、米国のみ、８００ｍＷ
ＢＳＳまたはＩＢＳＳにおける任意のＳＴＡの最大許容Ｔｘ電力設定は、国ＩＥに含まれる規制最大電力（Ｒｅｇｕｌａｔｏｒｙ  Ｍａｘ  Ｐｏｗｅｒ）値から減じられる電力制約情報要素（ＩＥ：ｉｎｆｏｒｍａｔｉｏｎ  ｅｌｅｍｅｎｔ）である。国ＩＥ（８０２．１１ｄ）は、ＢＥＡＣＯＮおよびＰＲＯＢＥ  ＲＥＳＰＯＮＳＥフレームに含まれる。同様に、８０２．１１ｈは、電力制約ＩＥをＢＥＡＣＯＮおよびＰＲＯＢＥＳ  ＲＥＳＰＯＮＳＥフレームに置く。
【０００５】
ＩＥＥＥ８０２．１１ｈの下のＴＰＣは、電力能力（Ｐｏｗｅｒ  Ｃａｐａｂｉｌｉｔｙ）ＩＥを、ＳＴＡ群からＡＰ（またはＩＢＳＳ内のＳＴＡ）へ送信されるＡＳＳＯＣＩＡＴＩＯＮ  ＲＥＱＵＥＳＴＳ（ＲＥ−ＡＳＳＯＣＩＡＴＩＯＮ  ＲＥＱＵＥＳＴＳ）に追加する。この電力能力ＩＥは、送信ＳＴＡの可能な最小および最大Ｔｘ電力設定の受信ＳＴＡに対する表示である。
【０００６】
電力能力ＩＥ内で示される範囲が、現在のＢＳＳ規制設定を用いる動作を許容していない場合、ＳＴＡによるアソシエーションの試みは、ＡＰまたはＩＢＳＳ内のその他のＳＴＡによって拒絶される。ＡＰは、ＢＳＳ用の許容電力設定を変更することができる、ＢＳＳ内での唯一の権能主体（ａｕｔｈｏｒｉｔｙ）である。ＩＢＳＳでは、ＩＢＳＳを開始したＳＴＡが、許容電力設定を設定するＳＴＡであり、その後にＢＥＡＣＯＮフレームをブロードキャストするその他のＳＴＡは、この初期電力設定を伝播させるよう求められる。
【０００７】
ＢＳＳの場合、許容電力設定（国ＩＥ内の規制および電力制約ＩＥ内のオフセット）は、ＢＳＳのライフタイム中に変更することができる。この機能に対する１つの目的として、８０２．１１ｈは、範囲制御および干渉低減について、具体的に言及している。しかし、好ましくは、これらの設定変更は「あまりにも頻繁に」起こるべきではない。
【０００８】
１つの問題は、すべてのＢＥＡＣＯＮが電力設定を変更するために使用され得るとしても、必ずしもすべてのＳＴＡ（例えば、パケット交換（ＰＳ）モードにあるＳＴＡ）が、すべてのＢＥＡＣＯＮフレームを聴取するわけではないことである。したがって、ＢＳＳ内のすべてのＳＴＡに新しいＴｘ電力設定を採用させるために、少なくとも数回の目標ビーコン送信時間（ＴＢＴＴ：ｔａｒｇｅｔ  ｂｅａｃｏｎ  ｔｒａｎｓｍｉｓｓｉｏｎ  ｔｉｍｅ）（数百ミリ秒）を必要とするという意味で、最大Ｔｘ電力の変更は準静的である。
【０００９】
公式には、８０２．１１ｈ  ＴＰＣは、ＳＴＡがチャネルへのアクセスに疲れる（ｔｉｒｅ）ときはいつでも、許容Ｔｘ電力設定をチェックするよう求めている。しかし、すべての製造業者が、最新受信ＢＥＡＣＯＮフレームからの自動更新をＭＡＣファームウェアに実装したとは考えづらい。これは、アソシエーションまたは再アソシエーション中の極端な場合にのみ、時々起こるだけであると仮定するのが妥当であろう。
【００１０】
８０２．１１ｈの下のＴＰＣは、ＴＰＣ  ＲＥＱＵＥＳＴ／ＲＥＰＯＲＴアクションフレーム対も導入している。このＴＰＣ  ＲＥＱＵＥＳＴアクションフレームは、Ｔｘ電力設定およびリンクマージンを別のＳＴＡに要求するために、ＳＴＡによって使用される。ＴＰＣ  ＲＥＰＯＲＴアクションフレーム内の報告Ｔｘ電力は、ＴＰＣ報告を送信するために使用される電力である。報告されたリンクマージンは、ＴＰＣ  ＲＥＱＵＥＳＴアクションフレームが受信されたときに、受信機によって観測されたマージンである。
【００１１】
ＴＰＣ  ＲＥＰＯＲＴアクションフレームに含まれるＩＥは、ＩＢＳＳモードに伴ういくつかの特殊な問題に対処することを元々は意図しており、ＢＥＡＣＯＮおよびＰＲＯＢＥ  ＲＥＳＰＯＮＳＥＳにも付加され得る。しかし、この場合のリンクマージンフィールドは、無意味であり、単純に０に設定される。これらの新しい８０２．１１ｈ  ＴＰＣ関連のＩＥおよびアクションフレームは、クラス１フレーム内に見出される（すなわち、非認証かつ非アソシエーションＳＴＡから送信され、そのようなＳＴＡによって受信され得る）。
【００１２】
完全を期して、５ＧＨｚ帯域用の８０２．１１ｈ  ＴＰＣ機能は、８０２．１１ｋ修正案によって、「そのまま」で２．４ＧＨｚに拡張されている。
【００１３】
配備の容易性および新しい配備環境へ採用する容易性を実現するため、メッシュ環境に対して許容Ｔｘ電力設定を選定する手段が必要とされる。これらの規制上の考慮事項に加えて、メッシュネットワークにおいて高いスループットおよび保証ＱｏＳレベルを維持するために、適応的なＴｘ電力レベルも強く望まれている。
【００１４】
メッシュへの参加ノードのＴｘおよびＲｘ電力レベル設定は、感知された通信範囲および感知された干渉範囲に大きな影響を与える。感知された通信範囲は、ポイントツーポイントまたはポイントツーマルチポイント送信において、あるデータレートを持続することができる距離である。感知された干渉範囲は、通信自体はもはや高い信頼性で復号され得ないとしても、その通信が依然として、メッシュ内のその他のノードからの、あるチャネル上のその他の進行中の送信を（もしくは隣接チャネル上の送信すらも）妨害しまたは悪化させ得る距離である。
【００１５】
通常、与えられたメッシュリンクのための与えられた持続データレートを維持する条件とされるＭＰにおける最小可能Ｔｘ電力設定が、メッシュ内のその他のノードへの同一チャネルおよび隣接チャネル干渉を最小化するための最良の手段である。一方、最大可能Ｔｘ電力レベル設定は、対象受信機によって知られるＳＮＲに直接影響するので、より高い正味のデータ送信レートを可能にする。これは、ＭＰが、どのＴｘおよびＲｘ電力レベル設定を使用すべきかに関して、対立する必要性および優先性に直面することを暗示する。したがって、特定のＭＰに対する理想的なＴｘ電力レベル設定は、特定のリンク上の個別データレートを最大化すること（より高いＴｘ電力設定を伴うより高いデータレート）と、メッシュ全体の性能を最大化すること（より小さな干渉および同一チャネルにおけるより大きな空間再利用を伴うより良い性能）との間でトレードオフの関係にある。
【００１６】
クリアチャネル評価（ＣＣＡ：ｃｌｅａｒ  ｃｈａｎｎｅｌ  ａｓｓｅｓｓｍｅｎｔ）検出閾値および最小Ｒｘ感度などのＲｘ電力レベル設定は、リンクバジェットにならびに例えば受信機において観測されるＳＮＲに影響する。Ｒｘ電力レベル設定は、８０２．１１  ＷＬＡＮなどのキャリアセンス多重アクセス（ＣＳＭＡ）ベースの方式において、チャネルアクセス失敗または衝突の可能性にも影響する。
【発明の開示】
【発明が解決しようとする課題】
【００１７】
しかし、無線メッシュシステムの異なるノードによって感知される干渉のレベルは、地理的におよび時間によって大幅に変化し得る。これは、リンクまたは経路毎の負荷、占有チャネル時間などの、動的な無線環境およびメッシュ内における送信のリアルタイム時間変化特性のためである。
【００１８】
したがって、メッシュスループットおよびＱｏＳを高くかつ保証レベルに維持するために、メッシュネットワークのライフタイム中にメッシュノードのＴｘおよびＲｘ電力レベルを動的に制御する手段を持つことが望ましい。また無線メッシュネットワークにおいて、規制要件のために動機付けられたチャネル変更について対応する必要もある。
【００１９】
従来のＷＬＡＮ（８０２．１１ａ、ｂ、ｇ、ｊ、ｎ）は、初期スタートアップ時以外のＴｘ電力設定の採用を可能にする手段を今日のところ提供しない。一方で、欧州における５ＧＨｚ帯域での動作の規制要件を満たすために、無線ＬＡＮの媒体アクセス制御レイヤ（ＭＡＣ）および物理レイヤ（ＰＨＹ）仕様に、修正（８０２．１１ｈ）が施された。ＩＥＥＥ８０２．１１ｈ  ＴＰＣのみが、新来ＳＴＡの初期アソシエーション中と、ある程度はＷＬＡＮネットワーク（インフラストラクチャモードまたはアドホックモード）のライフタイム中とに、５ＧＨｚ帯域におけるＷＬＡＮシステムがＴｘ電力設定を設定することを可能にしている。しかし、８０２．１１ｈ修正では、メッシュシステムの特殊な必要性および制約に対処していない。このケースは、単に予見されていなかったのである。
【００２０】
特に、メッシュ内の特定のリンクに対する選択的なＴｘ電力変更を保証する手段が存在していない。さらに、最大許容Ｔｘ電力設定のみが伝達され得る。しかし、リンクの確立を保証し、チャネルアクセス衝突の確率を最小とするためには、最大許容Ｔｘ電力設定とまさに同じほど、最小電力設定も重要である。
【００２１】
可変Ｔｘ電力設定は、メッシュネットワークの無線効率を改善するが、この機能を達成する方法は、既存技術によって提供されていない。さらに、従来のインフラストラクチャモード（ＢＳＳの場合など）およびアドホックモード（ＩＢＳＳの場合など）で今日動作するＷＬＡＮと類似している８０２．１１ｈ  ＴＰＣという意味において、Ｔｘ電力制御の方法は、メッシュネットワークが一定の規制要件を満たすことができるよう工夫されている必要がある。
【課題を解決するための手段】
【００２２】
本発明の方法および装置は、複数のメッシュポイント（ＭＰ）からなるメッシュ無線通信ネットワーク内で動作するＭＰの送信電力レベルおよび受信電力レベルを制御する。新しいＭＰの電力能力情報が、メッシュネットワーク内の少なくとも１つの既存のＭＰに送信される。既存のＭＰは、新しいＭＰをメッシュネットワークのメンバとして受け入れ、許容電力設定情報を新しいＭＰに送信する。許容電力設定情報に従って、新しいＭＰはその電力レベルを調整する。
【発明を実施するための最良の形態】
【００２３】
本発明の機能および要素が、好ましい実施形態において、特定の組合せで説明されるが、各機能または要素は、（好ましい実施形態の他の特徴および要素を伴わずに）単独で使用されることができる。また、各機能または要素は、本発明の他の機能および要素を伴うもしくは伴わない様々な組合せにおいて使用されることもできる。
【００２４】
これ以後、メッシュポイントは、無線送受信ユニット（ＷＴＲＵ）、ユーザ装置、移動局、固定もしくは移動加入者ユニット、ページャまたは無線環境において動作可能なその他の任意のタイプの装置を含むが、これらに限定もされない。アクセスポイントは、これ以降で言及される場合、基地局、ノードＢ、サイトコントローラ、アクセスポイントまたは無線環境におけるその他の任意のタイプのインタフェース装置を含むが、これらに限定もされない。
【００２５】
本明細書では、「メッシュ近傍（Ｍｅｓｈ  ｎｅｉｇｈｂｏｒ）」という用語は、特定のメッシュポイント（すなわち、無線範囲内のメッシュポイント）から直に接する直接近傍のことを指す。また、その信号メッセージがメッシュを介してその他のＭＰ群による複数のホップを越えて転送される場合に、ＭＰが到達することのできる、その他のメッシュノードのことも指す。さらに、メッシュと接続される有線バックホールネットワークに存在するノードなど、無線メッシュの直接の到達範囲を超えたネットワークエンティティも含むことができる。
【００２６】
本発明は、システムのスタートアップ時、ＭＰがメッシュネットワークに参加したときならびにメッシュネットワークのライフタイム中に、規制および無線管理の目的で、メッシュシステムがＴｘおよびＲｘ電力レベルを調整することができる手段を提供することになるシグナリング手順ならびにメカニズムを提供する。本発明は、分散シナリオ（すなわち、ＭＰ群は「ピアツーピア」シグナリングに従事する）ならびにＭＰ群間の関係がマスタとスレーブの関係であるマスタ−スレーブシナリオを取り扱う。後者のシナリオでは、電力マスタ（ＰＭ：Ｐｏｗｅｒ  Ｍａｓｔｅｒ）は、全体的な規制設定ならびにメッシュポイント毎およびリンク毎の個別電力設定の両方について、メッシュ内における電力設定を命じる責務を負うマスタＭＰである。
【００２７】
本発明は、
ａ）ＭＰ群が最大および最小電力設定などの電力設定関連能力情報をそれによって交換するシグナリングと、
ｂ）ＭＰ群がメッシュ内の許容電力設定をそれによって学習するシグナリングと、
ｃ）異なるまたは対立する許容電力設定情報メッセージおよび構成パラメータに対するＭＰが反応することと、
ｄ）規制要件を満たし、電力設定を動的に調整するための、メッシュ内での電力調整と、
ｅ）与えられたメッシュノードのＰＭとして選出することと、
のための手段を有する方法ならびに装置を含むものである。
【００２８】
図３Ａおよび図３Ｂは、マスタ−スレーブ構成におけるＭＰ１０１とＰＭの間の電力能力情報交換のシグナリングの図を示している。電力能力情報は、好ましくは、表１に示される任意の項目と、これらの任意の組合せとを含むが、それらに限定されない。
【００２９】
【表１】
2008538465.tif 000003
【００３０】
図３Ａでは、ＭＰ１０１は、その電力能力情報３０１をＰＭへ、例えばブロードキャスト／マルチキャストフレームの一部などの非応答型方式で報告する。図３Ｂでは、ＭＰ１０１は、その電力能力情報３０３を、電力能力要求３０２に応答する応答型フレームとして応答型方式で報告する（例えば、交換される信号３０２、３０３は、ＭＰ１０１とＰＭの間の指示された（ｄｉｒｅｃｔｅｄ）ユニキャスト要求／応答型フレーム交換の形式をとることができる）。図３Ａおよび図３Ｂは、ＭＰ１０１とＰＭの間の電力能力情報のシグナリングを示しているが、このようなシグナリングは、ＭＰ１０１とその他の近隣ＭＰ群の間でも交換され得る。図３Ｃおよび図３Ｄは、図３Ａおよび図３Ｂに示されるシナリオと類似した、ＭＰ１０１およびＭＰ１０２の間で交換される電力能力情報のそのような分散シナリオを示している。
【００３１】
本発明によれば、ＭＰ群による電力能力情報３０１、３０３の応答型（要求／応答型）報告および非応答型報告は、メッシュユニキャスト、マルチキャストもしくはブロードキャスト管理または制御フレームの上のピギーバックＩＥとして送信され得る。また、電力能力の報告は、別個のメッシュユニキャスト、マルチキャストもしくはブロードキャスト管理または制御フレームとして送信されることもできる。
【００３２】
メッシュ管理フレーム実施形態の一例として、ＭＰ電力能力情報３０１、３０３を、メッシュＡＳＳＯＣＩＡＴＩＯＮフレームまたはメッシュＡＵＴＨＥＮＴＩＣＡＴＩＯＮフレーム内に追加ＩＥとして含めることができる（例えば、メッシュネットワークの部分になることを目的とした他のＭＰとのフレーム交換）。また、電力能力シグナリング情報３０１、３０３を、メッシュＢＥＡＣＯＮフレームまたはメッシュＰＲＯＢＥ  ＲＥＳＰＯＮＳＥフレーム内に追加ＩＥとして含めることもでき、これらのフレームは、メッシュネットワークの存在のディスカバリまたはタイマ値などの汎用メッシュパラメータの同期を目的とした交換においても使用されることができる。さらに、アソシエーションまたは再アソシエーション応答フレーム内のＩＥとして電力能力情報３０１、３０３を含むこともできる。さらには、有向専用リンク毎またはマルチホップメッシュＰＯＷＥＲ  ＣＡＰＡＢＩＬＩＴＹフレームの一部として電力能力情報３０１、３０３を含むこともできる。
【００３３】
図４Ａおよび図４Ｂは、ＭＰがメッシュ用の許容電力設定をそれによって学習するシグナリングの図を示している。このシグナリングは、ＭＰ群が通信中に一定の最大許容電力設定を超えないようにする規制上のニーズを扱うのに有益である。許容電力設定情報は、好ましくは、表２に示される任意の項目ならびにこれらの任意の組合せを含む（しかし、それらに限定されない）。
【００３４】
【表２】
2008538465.tif 000004
【００３５】
図４Ａおよび図４Ｂには、マスタ−スレーブシナリオが示されており、スレーブＭＰ１０１は、マスタＰＭからこの情報を取得する。図４Ａでは、ＭＰ１０１は、その許容電力設定情報４０１をＰＭから、例えばブロードキャスト／マルチキャストフレームの一部などの非応答型方式で取得する。図４Ｂでは、ＭＰ１０１は、その許容電力設定情報４０３を、電力能力要求４０２に応答する応答型フレームとして応答型方式で取得する（例えば、交換される信号４０２、４０３は、ＭＰ１０１とＰＭの間の指示されたユニキャスト要求／応答型フレーム交換の形式をとることができる）。図４Ａおよび図４Ｂは、ＭＰ１０１およびＰＭの間の許容電力設定情報のシグナリングを示しているが、そのようなシグナリングは、分散シナリオにおいても同様に、ＭＰ１０１とその他の近隣ＭＰ群の間で交換され得る。図４Ｃおよび図４Ｄは、図４Ａおよび図４Ｂに示されるシナリオと類似した、ＭＰ１０１およびＭＰ１０２の間で交換される電力能力情報のそのような分散シナリオを示している。
【００３６】
本発明によれば、許容電力設定情報４０１、４０３の応答型（要求／応答型）および非応答型受信は、メッシュユニキャスト、マルチキャストもしくはブロードキャスト管理または制御フレームの上のピギーバックＩＥとして送信され得る。また、許容電力設定情報４０１、４０３は、別個のメッシュユニキャスト、マルチキャストもしくはブロードキャスト管理または制御フレームとして送信されることもできる。
【００３７】
メッシュ管理フレーム実施形態の一例として、メッシュにおける許容電力設定情報４０１、４０３のシグナリングは、メッシュＢＥＡＣＯＮフレームまたはメッシュＰＲＯＢＥ  ＲＥＳＰＯＮＳＥフレームの一部として含まれることができる（例えば、メッシュネットワークの存在のディスカバリまたはタイマ値などの汎用メッシュパラメータの同期を目的としたシグナリングフレームおよび交換）。また、ＭＰ電力許容電力設定情報４０１、４０３は、メッシュＡＳＳＯＣＩＡＴＩＯＮまたはメッシュＡＵＴＨＥＮＴＩＣＡＴＩＯＮフレームの一部でもある（例えば、例えば、メッシュネットワークの一部になることを目的とした他のＭＰ群とのフレーム交換）。またさらには、許容電力設定情報は、指示された専用リンク毎またはマルチホップメッシュＡＬＬＯＷＥＤ  ＰＯＷＥＲ  ＳＥＴＴＩＮＧフレームの一部でもある。
【００３８】
許容電力設定情報４０１、４０３は、単独または組み合わされた以下の任意のものについてシグナリングされ得る。すなわち、メッシュ全体（例えば、メッシュ内のすべてのノードに対して有効）、特定のメッシュリンクもしくは経路（例えば、１組のメッシュノードに対して有効）、特定のメッシュノード（例えば、ＭＰのすべての無線チャネルに対して有効）、メッシュノードの特定の無線インタフェース（例えば、ＭＰの設定可能なリンク毎および近傍毎）についてシグナリングされ得る。
【００３９】
許容電力設定情報４０１、４０３は、絶対値、いくつかの所定の絶対値に関係する相対値ならびに絶対値と相対値との組合せ（例えば、最大許容Ｔｘ電力＝規制最大−一時オフセット）としてシグナリングされ得る。
【００４０】
図５を参照すると、分散シナリオが、ＭＰ５０１に関して今から説明される。分散シナリオでは、ＰＭは存在せず、ＭＰ５０１は、ＭＰ５０２およびＭＰ５０３として示される２以上のＭＰから異なる許容電力設定情報を受信することが可能である。分散シナリオでは、ＰＭが存在しないため、ＭＰ５０１は、それ自体のＴｘ電力設定を設定するとき、およびその許容電力設定情報をその他のＭＰ群であるＭＰ５０２およびＭＰ５０３にシグナリングするときに、どの許容電力設定情報を使用するかを決定する必要がある。図５に示されるシグナリング手順は、ＭＰ５０１がどの許容電力設定情報を使用すべきかを決定する状況に解決を与え、その一方で、その他のＭＰ群から受信された一致しない許容電力設定情報の衝突を解決する。
【００４１】
ＭＰ５０１は、それ自体の許容電力設定情報ＡＰＳＩ＿ｏｗｎを設定し、その一方で、ＭＰ＿ｉからシグナリングされた許容電力設定情報を表すＡＰＳＩ＿ｉを受信する（図５の例では、インデックスｉ＝２および３である）。ＡＰＳＩ＿ｉ値はさらに、ＭＰ５０１がその他のＭＰ群から受信するＡＰＳＩ＿ｉ値のアンサンブル（集合）を表す、ＡＰＳＩ＿ｖｅｃｔｏｒによって表すこともできる。
【００４２】
許容電力設定情報ＩＥの一例は、最大許容Ｔｘ電力設定（ＭＡＴＰＳ）を含む。簡潔にするため、以下の方法の説明は、ＭＡＴＰＳ  ＩＥのみを含む。１組の入力ＭＡＴＰＳ＿ｏｗｎ５０４およびＭＡＴＰＳ＿ｖｅｃｔｏｒ５０５、５０６から、ＭＰ５０１は、それ自体のＴｘ電力設定を設定するときならびに許容電力設定情報をその他のＭＰ群へシグナリングするときに、どのＭＡＴＰＳが使用されるかを決定する必要がある。これは、ＭＰ５０１において意思決定関数Ｆを実施することによって達成されることができる。
【００４３】
例えば、ＭＰ５０１が、ＭＰ５０２からのＭＡＴＰＳ＿１＝２０ｄＢｍ、ＭＰ５０３からのＭＡＴＰＳ＿２＝１０ｄＢｍという、２つのベクトル値設定５０５、５０６を含むＭＡＴＰＳ＿ｖｅｃｔｏｒを受信する場合を仮定する。また、ＭＰ５０１自体のＭＡＴＰＳ設定は、ＭＡＴＰＳ＿ｏｗｎ＝１５ｄＢｍに設定されると仮定する。好ましい実装では、関数Ｆは、そのすべての入力から最小のＭＡＴＰＳ値を決定し（すなわち、ｍｉｎ（１０，２０，１５）＝１０ｄＢｍ）、ＭＰ５０１は、そのＴｘ電力を設定するときに動作ＭＡＴＰＳ値を使用し、ＭＰ５０１がＭＰ５０２およびＭＰ５０３を含むその他のＭＰ群へシグナリングする許容電力設定情報の一部として、動作ＭＡＴＰＳ値をシグナリングする。したがって、関数Ｆに関する動作ＭＡＴＰＳ５０７を、以下のように表現することができる。
【００４４】
ＭＡＴＰＳ＿operational＝Ｆ（ＭＡＴＰＳ＿ｏｗｎ，ＭＡＴＰＳ＿ｖｅｃｔｏｒ）
＝ｍｉｎ（ＭＡＴＰＳ＿ｏｗｎ，ＭＡＴＰＳ＿ｖｅｃｔｏｒ）
式（１）
同様に、その他の動作電力設定も、適切な関数Ｆを使用して、選択されることができる。
【００４５】
１つの代替実施形態では、ＭＰ５０１は、その一方で、そのＴｘ電力を決定するときに、式（１）によって決定された値ＭＡＴＰＳ＿operationalを使用するが、ＭＰ５０１は、その許容電力設定情報としてＭＡＴＰＳ＿ｏｗｎ値をその他のＭＰであるＭＰ５０２およびＭＰ５０３にシグナリングする。
【００４６】
図６は、Ｔｘ電力が規制要件を満たすように調整されたメッシュ６００にＭＰ６０１が加入するためのシグナリング方法を示している。Ｔｘ電力設定調整はＭＰ６０１に関して説明されるが、同じＴｘ電力設定調整手順は、メッシュ６００内の各ＭＰにも適用される。Ｔｘ電力を、ＭＰ群のサブセットについても同様に制御することができる。メッシュ６００は、ＭＰ６０１が加入を求めた時点で、ＭＰ６０２〜ＭＰＮを含む。ＭＰ６０２〜ＭＰＮのうちの１つまたは複数のＭＰは、ＰＭとすることができる。初期参加（ステップ６１０）において、スイッチオンとなると、図３Ａ〜図３Ｄについて上で説明されたように、ＭＰ６０１はそのＴｘ電力能力情報６１１をＭＰ６０２〜ＭＰＮへ送信する。上述したように、Ｔｘ電力能力情報を送信する好ましい方法は、ＡＳＳＯＣＩＡＴＩＯＮもしくはＡＵＴＨＥＮＴＩＣＡＴＩＯＮ（またはＲｅ−ＡＳＳＯＣＩＡＴＩＯＮもしくはＲｅ−ＡＵＴＨＥＮＴＩＣＡＴＩＯＮ）フレームの一部とするものである。Ｔｘ電力能力情報６１１は、定期的または応答型もしくは非応答型方式によって実行されることができる。ステップ６１２において、ＭＰ６０１は、メッシュの一部となる。ＭＰ６０１は、ディスカバリまたはメッシュネットワークへの参加のプロセス中に、メッシュ内で定期的に、またはメッシュ近傍ＭＰ６０２〜ＭＰＮによって非応答型方式もしくは応答型方式で送信された許容電力設定情報６１３を受信する。図４Ａ〜図４Ｄについて上で説明されたように、許容電力設定情報が交換される。上述したように、そのようなシグナリングの好ましい方法は、メッシュＢＥＡＣＯＮまたはメッシュＰＲＯＢＥ  ＲＥＳＰＯＮＳＥフレームを使用することである。ステップ６１４において、ＭＰ６０１は、受信された許容電力設定情報６１３を読みとり、そのＴｘ電力設定を調整する。ＭＰ６０１は、そのＴｘ電力設定調整についての肯定応答を、その他のＭＰ群であるＭＰ６０２〜ＭＰＮに送信しても、しなくてもよい。
【００４７】
ＭＰ６０１は、それ自体の許容電力設定情報６１５をＭＰ６０２〜ＭＰＮに送信する。同様に、ＭＰ６０１は、ＭＰ６０２〜ＭＰＮから、それらのＴｘ電力設定の変更によってトリガされたＴｘ電力設定変更を受信する。いくつかの任意選択的および補足的なシグナリングを拡張することで、メッシュ内において電力設定の調整をサポートすることができる（図６には図示されず）。例えば、ＭＰ６０１は、ＭＰ近傍ＭＰ６０２〜ＭＰＮに、電力設定、感知されたＳＮＲおよびリンクマージン値、感知された干渉電力ならびにチャネルビジー時間に関する測定値の報告を要求することができる。
【００４８】
本発明によれば、メッシュＰＭ群についてネゴシエーションを行い、それを選択するための選択手順が、メッシュＭＰによって実行される。好ましいＰＭ選択および再選択手順は、以下のうちの１つまたは複数を含む。  
ａ）メッシュに最初に属するＭＰが、自動的にＰＭになる。  
ｂ）ＭＰは、スイッチオン時に、その近傍ＭＰの１つがＰＭであるかどうかを決定する。ＰＭは、Ｌ２またはＬ３ブロードキャスト、マルチキャスト、またはセットアップ手順の一部としてＭＰによって受信される専用シグナリング（例えば、オーセンティケーション、メッシュＢＥＡＣＯＮ受信、能力交換など）を用いて識別され得る。  
ｃ）ＰＭは、事前設定される（すなわち、メッシュのライフタイムにわたって固定される）ことができ、または時間限定される（すなわち、ある所定の時間量の後、もしくはある条件の発生に結び付けられて、ＰＭ選択手順が再び開始される）ことができる。  
ｄ）有利な一実現方法では、ＰＭはメッシュポータルと一致し、したがって、メッシュポータル識別子が、ＰＭを自動的に指し示す。  
ｅ）近傍ＭＰ群への最も多くのリンクを有するＭＰが、ＰＭになる。  
ｆ）ＭＰ群は、乱数抽出を用いてＰＭを決定する。  
ｇ）ＭＰ群は、メッシュポータルまたはある同意されたＭＰからのホップ回数の関数としてＰＭを決定する。  
ｈ）上記を任意に組合せる。
【００４９】
図７は、上で説明された好ましい方法による、メッシュＰＭを識別するためのシグナリングの図である。ＰＭ要求情報要素（ＩＥ）は、ＰＭ選択が必要とされていることを近傍ＭＰのＭＰ７０２〜ＭＰＮへ表示するＭＰ７０１によってメッシュを介して送信される信号７１１内に、ブロードキャスト／マルチキャスト／ユニキャストシグナリングフレームの一部として含まれる。このＩＥは、開始ＭＰのアドレスと、タイムアウト値、選択基準、提案されるＰＭのデフォルト識別子および応答先アドレスなどのその他のパラメータとを含む。信号７１２内のブロードキャスト／マルチキャスト／ユニキャストシグナリングフレームのＰＭ応答ＩＥ部は、メッシュを介して送信され、近傍ＭＰのＭＰ７０２〜ＭＰＮからの選択基準応答を含む。比較手順（ステップ７１３）が、ＭＰ７０１において開始され、異なる近傍ＭＰ群からの選択基準応答７１２１〜７１２Ｎが、評価される。ＰＭ選択決定は、選ばれた選択基準（例えば、最高乱数抽出など）に関してどのＭＰが要件を満たすかに基づいて行われる。ＭＰ７０１は、ＰＭについての最終選択を信号７１３でメッシュへブロードキャストする。
【００５０】
代替として、ＭＰ７０１がメッシュポータルとして動作して、メッシュ用のＴｘ電力制御設定のすべてを設定し、その後に参加するＭＰ群に、これらのＴｘ電力制御設定をその他のメッシュＭＰ群へ伝播させるよう命じることもできる。
【００５１】
上で説明された方法のためにＭＰ群間またはＭＰ群およびＰＭの間で交換されるシグナリングメッセージならびに情報は、好ましくは、レイヤＬ２（例えば、ＭＡＣレイヤ）シグナリングフレームまたはＩＥとして実装される。そのようなものとして、物理的実装は、図３Ａ〜図３Ｄ、図４Ａ〜図４Ｄに示されるＭＰ１０１、ＭＰ１０２およびＰＭ、図５に示されるＭＰ５０１、ＭＰ５０２、ＭＰ５０３、図６に示されるＭＰ６０１、ＭＰ６０２〜ＭＰＮならびに図７に示されるＭＰ７０１、ＭＰ７０２〜ＭＰＮなどの各ＭＰ内のプロセッサエンティティである。プロセッサエンティティは、例えば、媒体アクセス制御（ＭＡＣ）またはステーション管理エンティティ（ＳＭＥ）内に、レイヤＬ２ハードウェアまたはソフトウェアを含むことができる。レイヤＬ２ソフトウェアは、例えば、ＭＰ群内の動作および保守（Ｏ＆Ｍ）ルーチンの一部、またはそれらの組合せとすることができる。代替として、シグナリングは、レイヤＬ３以上のシグナリングパケットまたはＩＥとしても実装される（例えば、ＩＰパケットまたはＴＣＰ／ＩＰパケットなどにカプセル化される）。そのようなものとして、物理的実装は、ＩＰまたはシンプルネットワーク管理プロトコル（ＳＮＭＰ）エンティティなどのレイヤＬ３ハードウェアまたはソフトウェアを含む。またさらには、レイヤＬ２およびＬ３シグナリングの組合せも含む。
【００５２】
上述された交換されるすべてのシグナリングメッセージおよび情報は、直接リンク（例えば、ＭＰ−ＭＰシグナリングフレーム）またはマルチホップフレームシグナリング（例えば、ＭＰは中間転送ＭＰ群を介して別のＭＰへメッセージを送信）のいずれかとすることができる。さらに、シグナリングを、ＭＰ群と有線バックホール内のその他のノードの間で行うこともできる。
【００５３】
上で説明されたすべての方法は、個々のＭＰ内の構成設定に依存し、またはそれによって補足されることができ、またＭＰの動作特性の制御を実行することができるメッシュ内部もしくは外部のネットワーク監視ならびに制御エンティティ（例えば、リモートＩＴアドミニストレータネットワーク監視ソフトウェアを用いる）に、統計およびフィードバックを提供することができる。これらの構成設定および報告可能統計は、以下のフォーマットのいずれかまたはそれらの組合せによって、個々のＭＰ（またはＭＰのグループ）内に設定され、またはそれから報告されることができる。  
ａ）有利には管理情報ベース（ＭＩＢ）の形態で実現された（しかし、それに限定されない）、物理レイヤ（ＰＨＹ）、媒体アクセス制御（ＭＡＣ）、またはシステム管理エンティティ（ＳＭＥ）内のデータベース、
ｂ）有利にはＡＰＩの形態で実現された、Ｌ２  ＭＡＣまたはＳＭＥと上位プロトコルエンティティの間のシグナリングメッセージ、または
ｃ）ＭＰ実装のＳＭＥ、ＭＡＣ、ＰＨＹ、およびその他のプロトコルエンティティの間で交換されるプリミティブ。
【００５４】
ＭＰ（またはＭＰのグループ）の、外部管理エンティティによって使用され得る、上で説明された構成設定は、以下の任意のものを含むことができる。  
ａ）許容Ｔｘ、Ｒｘ、およびＣＣＡ値設定および範囲、
ｂ）許容モード設定（例えば、１１ａ、ｂ、ｇ、ｊ、ｎなど）、
ｃ）許容帯域およびサブ帯域設定（例えば、２．４、４．９、５ＧＨｚ、Ｕ−ＮＩＩ低帯域、中帯域、および高帯域など）、
ｄ）メッシュＴＰＣ機能オンまたはオフ、
ｅ）ＰＭのアドレスおよび識別子、
ｆ）ＴＰＣ用のタイマ値（例えば、チャネルドエルおよび測定間隔）、
ｇ）ＭＰ用の送信電力変更コマンド、または
ｈ）上記の任意の組合せ
【００５５】
外部管理エンティティによって使用され得る、ＭＰの報告可能統計は、以下の任意のもの、またはこれらの組合せを含むことができるが、それらに限定されない。  
ａ）ＭＰおよび（分かる限りの）近傍ＭＰ群の現在のＴｘ電力制御設定、モード、帯域幅、同時チャネル数（もしくはその組合せ数）、または
ｂ）実行された測定の値およびタイプなどのチャネル統計
【００５６】
実施形態
１．メッシュ無線通信ネットワーク内で動作するメッシュポイント（ＭＰ）の送信および受信電力レベルを制御する方法であって、メッシュネットワークは、複数のＭＰ（ＭＰ群）を含み、前記方法は、
第１のＭＰが、受信された許容電力設定情報に従って、その電力レベルを調整するステップ
を備えることを特徴とする方法。
【００５７】
２．許容電力設定情報は、メッシュネットワーク内の第２のＭＰによって設定されることを特徴とする実施形態１の方法。
【００５８】
３．第２のＭＰは、メッシュアクセスポイントであることを特徴とする実施形態２の方法。
【００５９】
４．第１のＭＰの電力能力情報を、メッシュネットワーク内の少なくとも１つのＭＰに送信するステップ
をさらに備えることを特徴とする実施形態１〜３のいずれかの方法。
【００６０】
５．第１のＭＰがメッシュに加入し、
第２のＭＰが、第１のＭＰをメッシュネットワークのメンバとして受け入れるステップ
をさらに備えることを特徴とする実施形態２〜４のいずれかの方法。
【００６１】
６．第１のＭＰが、その電力能力情報を、応答型または非応答型方式いずれかであって、ブロードキャスト、マルチキャストおよびユニキャストの少なくとも１つによって報告することを特徴とする実施形態４〜５のいずれかの方法。
【００６２】
７．第１のＭＰが、その電力能力情報を、メッシュＡＳＳＯＣＩＡＴＩＯＮまたはメッシュＡＵＴＨＥＮＴＩＣＡＴＩＯＮフレームを用いて報告することを特徴とする実施形態４〜６のいずれかの方法。
【００６３】
８．新しいＭＰが、その電力能力情報を、メッシュＢＥＡＣＯＮフレームまたはメッシュＰＲＯＢＥ  ＲＥＳＰＯＮＳＥフレームの一部として報告することを特徴とする実施形態４〜７のいずれかの方法。
【００６４】
９．電力能力情報は、指示された専用リンク毎またはマルチホップメッシュＰＯＷＥＲ  ＣＡＰＡＢＩＬＩＴＹフレームの一部であることを特徴とする実施形態４〜８のいずれかの方法。
【００６５】
１０．電力能力情報は、新しいＭＰがサポートする最小送信電力および最大送信電力ならびに調整ステップサイズ設定と、最小受信電力および最大受信電力ならびに調整ステップサイズ設定と、新しいＭＰがサポートする感度レベルおよびＣＣＡ閾値設定と、新しいＭＰがサポートするモードと、新しいＭＰがサポートする動作帯域幅と、新しいＭＰが同時に動作可能な帯域およびサブ帯域の数と、のうちの少なくとも１つを含むことを特徴とする実施形態４〜９のいずれかの方法。
【００６６】
１１．第１のＭＰは、許容電力設定情報をその他のＭＰから、応答型または非応答型方式いずれかであって、ブロードキャスト、マルチキャストおよびユニキャストの少なくとも１つによって取得することを特徴とする実施形態１〜１０のいずれかの方法。
【００６７】
１２．許容電力設定情報は、メッシュＢＥＡＣＯＮフレームまたはメッシュＰＲＯＢＥ  ＲＥＳＰＯＮＳＥフレームに含まれることを特徴とする実施形態１〜１１のいずれかの方法。
【００６８】
１３．許容電力設定情報は、メッシュＡＳＳＯＣＩＡＴＩＯＮまたはメッシュＡＵＴＨＥＮＴＩＣＡＴＩＯＮフレームに含まれることを特徴とする実施形態１〜１２のいずれかの方法。
【００６９】
１４．許容電力設定情報は、専用のリンク毎またはマルチホップメッシュＡＬＬＯＷＥＤ  ＰＯＷＥＲ  ＳＥＴＴＩＮＧフレームに含まれることを特徴とする実施形態１〜１３のいずれかの方法。
【００７０】
１５．許容電力設定情報は、電力マスタ（ＰＭ）アドレスまたはＰＭ識別子と、メッシュネットワークが現在動作している規制ドメインと、メッシュネットワークが現在動作している周波数帯域およびサブ帯域と、最小、瞬時および最大送信電力許容設定と、最小、瞬時および最大受信電力許容設定と、最小、瞬時および最大ＣＣＡ閾値許容設定と、有効性タイマまたはタイムアウト値と、測定間隔および構成と、サイレンス期間と、上記の任意のもののための一時オフセット値および関連ライフタイム値と、のうちの少なくとも１つを含むことを特徴とする実施形態１〜１４のいずれかの方法。
【００７１】
１６．許容電力設定情報は、メッシュネットワーク全体と、特定のメッシュリンクまたは経路と、特定のメッシュノードまたはメッシュノードの特定の無線インタフェースと、のうちの少なくとも１つについてシグナリングされることを特徴とする実施形態１〜１５のいずれかの方法。
【００７２】
１７．許容電力設定情報は、絶対値、相対値、および絶対値と相対値の組合せの少なくとも１つによってシグナリングされることを特徴とする実施形態１〜１６のいずれかの方法。
【００７３】
１８．第１のＭＰと第２のＭＰとは、ピアツーピア関係を確立することを特徴とする実施形態２〜１７のいずれかの方法。
【００７４】
１９．第１のＭＰと第２のＭＰとは、マスタ−スレーブ関係を確立することを特徴とする実施形態２〜１８のいずれかの方法。
【００７５】
２０．第１のＭＰおよび第２のＭＰは、その他のＭＰ群から、更新された許容電力設定情報を定期的に受信することを特徴とする実施形態２〜１９のいずれかの方法。
【００７６】
２１．第１のＭＰは、近隣ＭＰ群に、電力設定と、感知された信号対雑音比（ＳＮＲ）と、リンクマージン値と、感知された干渉電力と、チャネルビジー時間と、のうちの少なくとも１つに関する測定値の報告を要求することを特徴とする実施形態１〜２０のいずれかの方法。
【００７７】
２２．少なくとも１つのＭＰが、ＭＰ群の中の電力マスタ（ＰＭ）として選出されることを特徴とする実施形態１〜２１のいずれかの方法。
【００７８】
２３．メッシュネットワークに最初に参加した初期ＭＰは、ＰＭに自動的に指定されることを特徴とする実施形態２２の方法。
【００７９】
２４．所定のＭＰが、ＰＭになり、所定の期間、固定されることを特徴とする実施形態２２の方法。
【００８０】
２５．メッシュネットワークのメッシュポータルが、ＰＭに自動的になることを特徴とする実施形態２２の方法。
【００８１】
２６．近隣ＭＰへのリンクを最も多く有するＭＰが、ＰＭになることを特徴とする実施形態２２の方法。
【００８２】
２７．メッシュネットワーク内のＭＰ群は、乱数抽出を用いて、ＰＭを決定することを特徴とする実施形態２２の方法。
【００８３】
２８．メッシュネットワーク内のＭＰ群は、メッシュポータルまたはある所定のＭＰからのホップ数の関数として、ＰＭを決定することを特徴とする実施形態２２の方法。
【００８４】
２９．新しいＭＰが参加するたびに、既存のＭＰ群と新しいＭＰとの間のネゴシエーションによって、新しいＰＭが選出されることを特徴とする実施形態２２〜２８のいずれかの方法。
【００８５】
３０．ＰＭは、初期セットアップ手順の一部として受信される、レイヤ２またはレイヤ３のブロードキャスト、マルチキャスト、または専用信号を用いて識別されることを特徴とする実施形態２２〜２９のいずれかの方法。
【００８６】
３１．メッシュネットワーク内の第２のＭＰは、許容電力設定を設定し、許容電力設定情報を、その後に参加したＭＰ群へ送信することを特徴とする実施形態２〜２９のいずれかの方法。
【００８７】
３２．ＭＰ群間で交換されるメッセージおよび情報のシグナリングは、レイヤ２の信号フレームまたは情報要素（ＩＥ）と、レイヤ３以上の信号パケットまたはＩＥとのうちの少なくとも一方を用いて実装されることを特徴とする実施形態１〜３１のいずれかの方法。
【００８８】
３３．第２のＭＰは、すぐ隣のＭＰと、第１のＭＰがその他のＭＰ群によって到達可能な別のメッシュノードと、無線メッシュの直接到達圏外のその他のネットワークエンティティとのうちの１つまたは複数を含むことを特徴とする実施形態２〜３２のいずれかの方法。
【００８９】
３４．ＭＰ群間でのメッセージの送信および受信は、直接リンクと、マルチホップフレーム信号と、有線バックホール経由とのうちの少なくとも１つによって実施されることを特徴とする実施形態１〜３３のいずれかの方法。
【００９０】
３５．ＭＰ群間でのメッセージの交換は、媒体アクセス制御（ＭＡＣ）もしくはステーション管理エンティティ（ＳＭＥ）内のレイヤ２のハードウェア／ソフトウェア、レイヤ３以上のソフトウェア、またはそれらの組合せによって実施されることを特徴とする実施形態１〜３４のいずれかの方法。
【００９１】
３６．ＭＰ群は、メッシュネットワークを制御するエンティティによって設定される構成設定に依存し、ＭＰ群は、統計およびフィードバックを制御エンティティに報告することを特徴とする実施形態１〜３５のいずれかの方法。
【００９２】
３７．構成設定および報告可能統計は、物理レイヤ（ＰＨＹ）、ＭＡＣ、またはＳＭＥ内のデータベースと、レイヤ２  ＭＡＣまたはＳＭＥと上位プロトコルエンティティの間のシグナリングメッセージと、ＭＰ内のＳＭＥ、ＭＡＣ、ＰＨＹ、およびその他のプロトコルエンティティの間で交換されるプリミティブとのうちの少なくとも１つの内に設定され、かつそれによって報告されることを特徴とする実施形態３６の方法。
【００９３】
３８．構成設定は、許容送信、受信、およびＣＣＡ値設定および範囲と、許容モード設定と、許容帯域およびサブ帯域設定と、メッシュ送信電力制御（ＴＰＣ）機能オンまたはオフと、ＰＭのアドレスおよび識別子と、ＴＰＣ用のタイマ値と、ＭＰ用の送信電力変更コマンドとのうちの少なくとも１つを含むことを特徴とする実施形態３６〜３７のいずれかの方法。
【００９４】
３９．報告可能統計は、ＭＰおよび近傍ＭＰの現在のＴＰＣ設定、モード、帯域幅、同時チャネル数と、チャネル統計とのうちの少なくとも一方を含むことを特徴とする実施形態３６の方法。
【００９５】
４０．無線通信におけるメッシュポイントからなるネットワーク内のメッシュポイント（ＭＰ）であって、
その電力レベルを、ネットワーク内の別のＭＰから受信された許容電力設定情報に従って調整するように構成されたプロセッサ
を備えたことを特徴とするメッシュポイント（ＭＰ）。
【００９６】
４１．プロセッサは、それ自体の電力能力情報を、メッシュネットワーク内の少なくとも１つの既存のＭＰに送信するようにさらに構成された実施形態４０のＭＰ。
【００９７】
４２．各ＭＰが、その電力能力情報を、応答型または非応答型方式いずれかの、ブロードキャスト、マルチキャスト、およびユニキャストの１つによって報告することを特徴とする実施形態４０〜４１のいずれかのメッシュポイント。
【００９８】
４３．各ＭＰが、その電力能力情報を、メッシュＡＳＳＯＣＩＡＴＩＯＮまたはメッシュＡＵＴＨＥＮＴＩＣＡＴＩＯＮフレームを用いて報告することを特徴とする実施形態４０〜４２のいずれかのメッシュポイント。
【００９９】
４４．各ＭＰが、その電力能力情報を、メッシュＢＥＡＣＯＮフレームまたはメッシュＰＲＯＢＥ  ＲＥＳＰＯＮＳＥフレームの一部として報告することを特徴とする実施形態４０〜４３のいずれかのメッシュポイント。
【０１００】
４５．電力能力情報は、有向専用リンク毎またはマルチホップメッシュＰＯＷＥＲ  ＣＡＰＡＢＩＬＩＴＹフレームの一部であることを特徴とする実施形態４０〜４４のいずれかのメッシュポイント。
【０１０１】
４６．電力能力情報は、ＭＰがサポートする最小送信電力および最大送信電力ならびに調整ステップサイズ設定と、最小受信電力および最大受信電力ならびに調整ステップサイズ設定と、ＭＰがサポートする感度レベルおよびＣＣＡ閾値設定と、ＭＰがサポートするモードと、ＭＰがサポートする動作帯域幅と、ＭＰが同時に動作可能な帯域およびサブ帯域の数とのうちの少なくとも１つを含むことを特徴とする実施形態４０〜４５のいずれかのメッシュポイント。
【０１０２】
４７．各ＭＰは、許容電力設定情報をＭＰから、応答型または非応答型方式いずれかの、ブロードキャスト、マルチキャストおよびユニキャストの少なくとも１つによって取得することを特徴とする実施形態４０〜４６のいずれかのメッシュポイント。
【０１０３】
４８．許容電力設定情報は、メッシュＢＥＡＣＯＮフレームまたはメッシュＰＲＯＢＥ  ＲＥＳＰＯＮＳＥフレームに含まれることを特徴とする実施形態４０〜４７のいずれかのメッシュポイント。
【０１０４】
４９．許容電力設定情報は、メッシュＡＳＳＯＣＩＡＴＩＯＮまたはメッシュＡＵＴＨＥＮＴＩＣＡＴＩＯＮフレームに含まれることを特徴とする実施形態４０〜４８のいずれかのメッシュポイント。
【０１０５】
５０．許容電力設定情報は、専用のリンク毎またはマルチホップメッシュＡＬＬＯＷＥＤ  ＰＯＷＥＲ  ＳＥＴＴＩＮＧフレームに含まれることを特徴とする実施形態４０〜４９のいずれかのメッシュポイント。
【０１０６】
５１．許容電力設定情報は、電力マスタ（ＰＭ）アドレスまたはＰＭ識別子と、メッシュポイントが現在動作している規制ドメインと、メッシュポイントが現在動作している周波数帯域およびサブ帯域と、最小、瞬時および最大送信電力許容設定と、最小、瞬時および最大受信電力許容設定と、最小、瞬時および最大ＣＣＡ閾値許容設定と、有効性タイマまたはタイムアウト値と、測定間隔および構成と、サイレンス期間と、上記の任意のもののための一時オフセット値および関連ライフタイム値とのうちの少なくとも１つを含むことを特徴とする実施形態４０〜５０のいずれかのメッシュポイント。
【０１０７】
５２．許容電力設定情報は、メッシュネットワーク全体と、特定のメッシュリンクまたは経路と、特定のメッシュノードと、メッシュノードの特定の無線インタフェースとのうちの少なくとも１つについてシグナリングされることを特徴とする実施形態４０〜５１のいずれかのメッシュポイント。
【０１０８】
５３．許容電力設定情報は、絶対値、相対値またはそれらの組合せとしてシグナリングされることを特徴とする実施形態４０〜５２のいずれかのメッシュポイント。
【０１０９】
５４．プロセッサは、ＭＰと別のネットワークＭＰとの間にピアツーピア関係を確立することを特徴とする実施形態４０〜５３のいずれかのメッシュポイント。
【０１１０】
５５．プロセッサは、ＭＰと別のネットワークＭＰとの間にマスタ−スレーブ関係を確立することを特徴とする実施形態４０〜５４のいずれかのメッシュポイント。
【０１１１】
５６．ＭＰは、その他のＭＰ群から、更新された許容電力設定情報を定期的に受信することを特徴とする実施形態４０〜５５のいずれかのメッシュポイント。
【０１１２】
５７．各ＭＰは、近隣ＭＰ群に、電力設定と、感知された信号対雑音比（ＳＮＲ）と、リンクマージン値と、感知された干渉電力と、チャネルビジー時間とのうちの少なくとも１つに関する測定値の報告を要求することを特徴とする実施形態４０〜５６のいずれかのメッシュポイント。
【０１１３】
５８．許容電力設定情報は、その後に参加するＭＰ群へ送信されることを特徴とする実施形態４０〜５７のいずれかのメッシュポイント。
【０１１４】
５９．ＭＰ群間で交換されるメッセージおよび情報のシグナリングは、レイヤ２の信号フレームもしくは情報要素（ＩＥ）、またはレイヤ３以上の信号パケットもしくはＩＥのうちの少なくとも一方を用いて実装されることを特徴とする実施形態４０〜５８のいずれかのメッシュポイント。
【０１１５】
６０．ＭＰ群間でのメッセージの送信および受信は、直接リンクと、マルチホップフレーム信号と、有線バックホール経由とのうちの少なくとも１つによって実施されることを特徴とする実施形態４０〜５９のいずれかのメッシュポイント。
【０１１６】
６１．ＭＰ群間でのメッセージの交換は、媒体アクセス制御（ＭＡＣ）もしくはステーション管理エンティティ（ＳＭＥ）内のレイヤ２のハードウェア／ソフトウェア、レイヤ３以上のソフトウェアまたはそれらの組合せによって実装されることを特徴とする実施形態４０〜６０のいずれかのメッシュポイント。
【０１１７】
６２．ＭＰは、メッシュネットワークを制御するエンティティによって設定される構成設定に依存し、ＭＰは、統計およびフィードバックを制御エンティティに報告することを特徴とする実施形態４０〜６１のいずれかのメッシュポイント。
【０１１８】
６３．構成設定および報告可能統計は、物理レイヤ（ＰＨＹ）、ＭＡＣ、またはＳＭＥ内のデータベースと、レイヤ２  ＭＡＣまたはＳＭＥと上位プロトコルエンティティの間のシグナリングメッセージと、ＭＰ内のＳＭＥ、ＭＡＣ、ＰＨＹ、およびその他のプロトコルエンティティの間で交換されるプリミティブと、のうちの少なくとも１つの内に設定され、かつそれによって報告されることを特徴とする実施形態４０〜６２のいずれかのメッシュポイント。
【０１１９】
６４．構成設定は、許容送信、受信およびＣＣＡ値設定および範囲と、許容モード設定と、許容帯域およびサブ帯域設定と、メッシュ送信電力制御（ＴＰＣ）機能オンもしくはオフと、ＰＭのアドレスおよび識別子と、ＴＰＣ用のタイマ値と、ＭＰ用の送信電力変更コマンドとのうちの少なくとも１つを含むことを特徴とする実施形態４０〜６３のいずれかのメッシュポイント。
【０１２０】
６５．報告可能統計は、ＭＰおよび近傍ＭＰ群の現在のＴＰＣ設定、モード、帯域幅、同時チャネル数と、チャネル統計とのうちの少なくとも一方を含むことを特徴とする実施形態４０〜６４のいずれかのメッシュポイント。
【０１２１】
６６．メッシュポイントからなるメッシュネットワークにおいて、
メッシュネットワーク用の電力マスタ（ＰＭ）選択が必要とされていることを表示する電力マスタ要求情報要素を近隣ＭＰ群へ送信し、ネットワークＭＰ群から電力マスタ応答情報要素を受信し、電力マスタ応答情報要素で受け取られた選択基準を評価する比較手順に従ってＰＭを選択するように構成されるプロセッサ
を備えたことを特徴とするメッシュポイント（ＭＰ）。
【０１２２】
６７．ＰＭは、初期セットアップ手順の一部として受信されるレイヤ２またはレイヤ３のブロードキャスト、マルチキャストまたは専用信号を用いて識別されることを特徴とする実施形態６６のメッシュポイント。
【０１２３】
６８．新しいＭＰが参加するたびに、既存のＭＰと新しいＭＰとの間のネゴシエーションによって、新しいＰＭが選択されることを特徴とする実施形態６６〜６７のいずれかのメッシュポイント。
【０１２４】
６９．メッシュネットワークに属する第１のＭＰが、ＰＭとして選択されることを特徴とする実施形態６６〜６８のいずれかのメッシュポイント。
【０１２５】
７０．所定のＭＰが、ＰＭとして選択され、所定の期間、固定されることを特徴とする実施形態６６〜６８のいずれかのメッシュポイント。
【０１２６】
７１．プロセッサは、そのＭＰをメッシュネットワークのメッシュポータルとして選択し、メッシュネットワーク用のすべての送信電力制御設定をしかるべく設定し、その後に参加するすべてのＭＰ群に、これらの設定をその他のメッシュネットワークＭＰに伝播させるよう命じることを特徴とする実施形態６６〜６８のいずれかのメッシュポイント。
【０１２７】
７２．プロセッサは、近隣ＭＰ群へのリンクを最も多く有するＭＰを、ＰＭとして選択することを特徴とする実施形態６６〜６８のいずれかのメッシュポイント。
【０１２８】
７３．プロセッサは、乱数抽出を用いて、ＰＭを決定することを特徴とする実施形態６６〜６８のいずれかのメッシュポイント。
【０１２９】
７４．プロセッサは、メッシュポータルまたはある所定のＭＰからのホップ数の関数として、ＰＭを決定することを特徴とする実施形態６６〜６８のいずれかのメッシュポイント。
【図面の簡単な説明】
【０１３０】
【図１】従来の無線ＬＡＮのブロック図である。
【図２】簡単なメッシュインフラストラクチャのブロック図である。
【図３Ａ】メッシュポイントと電力マスタメッシュポイントとの間の電力能力情報交換のシグナリング図である。
【図３Ｂ】メッシュポイントと電力マスタメッシュポイントの間の電力能力情報交換のシグナリング図である。
【図３Ｃ】メッシュポイント間の分散された電力能力情報交換のシグナリング図である。
【図３Ｄ】メッシュポイント間の分散された電力能力情報交換のシグナリング図である。
【図４Ａ】電力マスタメッシュポイントからのメッシュ許容電力設定情報検索のシグナリング図である。
【図４Ｂ】電力マスタメッシュポイントからのメッシュ許容電力設定情報検索のシグナリング図である。
【図４Ｃ】他のメッシュポイントからのメッシュ許容電力設定情報検索のシグナリング図である。
【図４Ｄ】他のメッシュポイントからのメッシュ許容電力設定情報検索のシグナリング図である。
【図５】本発明による電力制御を送信するための信号図である。
【図６】受信許容電力設定情報に応答してＭＰ送信電力設定を調整するための信号図である。
【図７】電力マスタ選択手順の信号図である。
【図１】
2008538465.tif 000005
【図２】
2008538465.tif 000006
【図３Ａ】
2008538465.tif 000007
【図３Ｂ】
2008538465.tif 000008
【図３Ｃ】
2008538465.tif 000009
【図３Ｄ】
2008538465.tif 000010
【図４Ａ】
2008538465.tif 000011
【図４Ｂ】
2008538465.tif 000012
【図４Ｃ】
2008538465.tif 000013
【図４Ｄ】
2008538465.tif 000014
【図５】
2008538465.tif 000015
【図６】
2008538465.tif 000016
【図７】
2008538465.tif 000017